(57)【要約】      （修正有）【課題】センシング端末の動作モードを消費電力の少ない動作モードに切り換えることができる。【解決手段】無線第１インターフェース２４は、センシング端末からバイタルデータを無線受信する。記憶部は、比較用バイタルデータを記憶する。比較部は、無線受信したバイタルデータと比較用バイタルデータとを比較する。制御部２３は、比較部による比較結果に基づいて、バイタルデータを無線送信したセンシング端末に対して、バイタルデータの無線送信を停止させる指示を、無線第１インターフェース２４が送信するよう制御する。【選択図】図３
2012254121.tif 000002
【特許請求の範囲】
【請求項１】
センシング端末からバイタルデータを無線受信する無線通信部と、
比較用バイタルデータを記憶する記憶部と、
前記無線受信したバイタルデータと前記比較用バイタルデータとを比較する比較部と、
前記比較部による比較結果に基づいて、前記バイタルデータを無線送信した前記センシング端末に対して、前記バイタルデータの無線送信を停止させる指示を、前記無線通信部が送信するよう制御する制御部と、
を有することを特徴とする無線通信システム。
【請求項２】
前記記憶部は、前記比較用バイタルデータとして心拍数データ又は血糖値データを記憶する
ことを特徴とする請求項１に記載の無線通信システム。
【請求項３】
前記制御部は、前記無線受信したバイタルデータと前記比較用バイタルデータとを複数サイクル比較した結果に基づいて、前記指示を前記無線通信部が送信するよう制御する
ことを特徴とする請求項２に記載の無線通信システム。
【請求項４】
前記センシング端末が有する複数のセンシングモードのうち２つのセンシングモードを比較したときに、相対的にセンシング間隔が長いモードを第１のモードと定義し、相対的にセンシング間隔が短いモードを第２のモードと定義するとき、前記指示は、前記センシング端末を前記第１のモードで動作させる指示を含む
ことを特徴とする請求項１に記載の無線通信システム。
【請求項５】
起動信号を受信する起動信号受信部
を備え、
前記制御部は、前記起動信号受信部が前記起動信号を受信した場合、前記無線通信部を起動させる
ことを特徴とする請求項１に記載の無線通信システム。
【請求項６】
前記制御部は、前記無線通信部が前記指示を送信した後、当該無線通信部の動作を停止させる
ことを特徴とする請求項１に記載の無線通信システム。
【請求項７】
サーバと無線通信端末とを有する無線通信システムであって、
前記サーバは、
前記無線通信端末と通信を行う通信部と、
比較用バイタルデータを記憶する記憶部と、
前記無線通信端末から受信したバイタルデータと前記比較用バイタルデータとを比較する比較部と、
前記比較部による比較結果を示す比較結果信号を前記無線通信端末に対して送信するように前記通信部を制御するサーバ制御部と、
を有し、
前記無線通信端末は、
センシング端末から前記バイタルデータを無線受信する無線第１通信部と、
前記センシング端末から受信した前記バイタルデータを前記サーバに送信する第２通信部と、
前記サーバから受信した前記比較結果信号に基づいて、前記バイタルデータを無線送信した前記センシング端末に対して、前記バイタルデータの無線送信を停止させる指示を、前記無線第１通信部が送信するよう制御する制御部と、
を有する
ことを特徴とする無線通信システム。
【発明の詳細な説明】
【技術分野】
【０００１】
本発明は、無線通信システムに関する。
【背景技術】
【０００２】
医療・ヘルスケア分野では、各種センサを備えた端末を用いて人体表面または体内から生体データを収集し、端末が収集した生体データを蓄積装置に転送して蓄積することで、蓄積装置が蓄積した生体データを健康管理や、病気の診断や、治療などに役立てようとする取り組みが盛んに進められている（例えば、特許文献１参照）。このような用途では、生体データを転送するために端末と蓄積装置との間を有線ケーブルでつなぐと行動の自由が制限されてしまうため、無線通信で生体データを転送するようにし、さらに、端末を電池で駆動させるようにし、端末を自由に持ち歩くことができるようにすることが望ましい。このようなニーズは、医療分野、特に植込み型医療機器（ＩＭＤ、Ｉｍｐｌａｎｔａｂｌｅ  Ｍｅｄｉｃａｌ  Ｄｅｖｉｃｅｓ）ではより大きい。
【０００３】
また、植込み型医療機器は、一般に電力を電池から得て動作する。従って、電池が消耗し電圧が低下した場合には電池交換が必要となる。植込み型医療機器の電池交換には手術が必要であり、患者への負担が大きく感染症等の副作用も発生するため、電池の消耗は極力避けたいとの要望がある。
【０００４】
また、植込み型医療機器は、緊急事態が発生した場合、一般的にセンサが緊急情報を検出し、検出した緊急情報の緊急度に応じて緊急内容の伝達先や伝達方法を変更する。また、植込み型医療機器は、センサが緊急情報を検出した場合、その後、生体データを蓄積装置に転送し続けていた。また、間欠駆動で電力の消費を抑える無線検針システムが知られている（例えば、特許文献２参照）。
【先行技術文献】
【特許文献】
【０００５】
【特許文献１】特開２００２−１０２３６２号公報
【特許文献２】特開２００５−２８６６５５号公報
【発明の概要】
【発明が解決しようとする課題】
【０００６】
しかしながら、従来知られている植込み型医療機器は、緊急事態が解消された場合においても生体データを蓄積装置に転送し続けるなど、緊急事態が発生する前の動作に戻すことができないという問題があった。
【０００７】
本発明は、上記の問題を解決するためになされたものであり、センシング端末の動作モードを消費電力の少ない動作モードに切り換えることができる無線通信システムを提供することを目的とする。
【課題を解決するための手段】
【０００８】
本発明は、センシング端末からバイタルデータを無線受信する無線通信部と、比較用バイタルデータを記憶する記憶部と、前記無線受信したバイタルデータと前記比較用バイタルデータとを比較する比較部と、前記比較部による比較結果に基づいて、前記バイタルデータを無線送信した前記センシング端末に対して、前記バイタルデータの無線送信を停止させる指示を、前記無線通信部が送信するよう制御する制御部と、を有することを特徴とする無線通信システムである。
【０００９】
また、本発明の無線通信システムにおいて、前記記憶部は、前記比較用バイタルデータとして心拍数データ又は血糖値データを記憶することを特徴とする。
【００１０】
また、本発明の無線通信システムにおいて、前記制御部は、前記無線受信したバイタルデータと前記比較用バイタルデータとを複数サイクル比較した結果に基づいて、前記指示を前記無線通信部が送信するよう制御することを特徴とする。
【００１１】
また、本発明の無線通信システムにおいて、前記センシング端末が有する複数のセンシングモードのうち２つのセンシングモードを比較したときに、相対的にセンシング間隔が長いモードを第１のモードと定義し、相対的にセンシング間隔が短いモードを第２のモードと定義するとき、前記指示は、前記センシング端末を前記第１のモードで動作させる指示を含むことを特徴とする。
【００１２】
また、本発明は、起動信号を受信する起動信号受信部を備え、前記制御部は、前記起動信号受信部が前記起動信号を受信した場合、前記無線通信部を起動させることを特徴とする無線通信システムである。
【００１３】
また、本発明の無線通信システムにおいて、前記制御部は、前記無線通信部が前記指示を送信した後、当該無線通信部の動作を停止させることを特徴。
【００１４】
また、本発明は、サーバと無線通信端末とを有する無線通信システムであって、前記サーバは、前記無線通信端末と通信を行う通信部と、比較用バイタルデータを記憶する記憶部と、前記無線通信端末から受信したバイタルデータと前記比較用バイタルデータとを比較する比較部と、前記比較部による比較結果を示す比較結果信号を前記無線通信端末に対して送信するように前記通信部を制御するサーバ制御部と、を有し、前記無線通信端末は、センシング端末から前記バイタルデータを無線受信する無線第１通信部と、前記センシング端末から受信した前記バイタルデータを前記サーバに送信する第２通信部と、前記サーバから受信した前記比較結果信号に基づいて、前記バイタルデータを無線送信した前記センシング端末に対して、前記バイタルデータの無線送信を停止させる指示を、前記無線第１通信部が送信するよう制御する制御部と、を有することを特徴とする無線通信システムである。
【発明の効果】
【００１５】
本発明によれば、無線通信部はセンシング端末からバイタルデータを無線受信する。また、記憶部は比較用バイタルデータを記憶する。また、比較部は、無線受信したバイタルデータと比較用バイタルデータとを比較する。また、制御部は、比較部による比較結果に基づいて、バイタルデータを無線送信したセンシング端末に対して、バイタルデータの無線送信を停止させる指示を、無線通信部が送信するよう制御する。この構成により、無線受信したバイタルデータと比較用バイタルデータとの比較結果に基づいて、バイタルデータの送信を停止させることができる。従って、センシング端末の動作モードを消費電力の少ない動作モードに切り換えることができる。
【図面の簡単な説明】
【００１６】
【図１】本発明の一実施形態における生体データ監視システムの構成を示した概略図である。
【図２】本実施形態における植込み型医療機器の構成を示したブロック図である。
【図３】本実施形態における無線通信端末の構成を示したブロック図である。
【図４】本実施形態におけるＷｅｂサーバの構成を示したブロック図である。
【図５】本実施形態における無線通信端末が概略判定処理を行い、Ｗｅｂサーバが詳細判定処理を行う際のデータの流れを示した概略図である。
【図６】本実施形態における植込み型医療機器と無線通信端末との動作手順を示したシーケンス図である。
【図７】本実施形態における植込み型医療機器の動作手順を示したフローチャートである。
【図８】本実施形態における無線通信端末の動作手順を示したフローチャートである。
【図９】本実施形態におけるＷｅｂサーバの動作手順を示したフローチャートである。
【発明を実施するための形態】
【００１７】
以下、本発明の一実施形態について図を参照しながら説明する。図１は、本実施形態における生体データ監視システムの構成を示した概略図である。生体データ監視システム１は、植込み型医療機器１０（センシング端末）と、無線通信端末２０と、Ｗｅｂサーバ３０とを備える。本実施形態では、植込み型医療機器１０と無線通信端末２０とは、１対１での無線通信を行う。また、無線通信端末２０とＷｅｂサーバ３０とは、１対１での無線通信を行う。なお、無線通信端末２０とＷｅｂサーバ３０との間の通信は、無線通信に限らず、有線による通信であってもよい。
【００１８】
植込み型医療機器１０は、人の体内に植込められ、各種センサを使って血圧、脈拍、心電、心拍、血中酸素濃度、体温、尿糖、血糖等の生体データ（バイタルデータ）や、植込み型医療機器１０が備える各部の状態を示す機器状態データを取得する。本実施形態では、生体データと、機器状態データとを詳細データとする。
【００１９】
また、植込み型医療機器１０は、通常モード（第１のモード）と緊急モード（第２のモード）との２つのモードのうち、いずれかのモードで動作する。通常モードでは、植込み型医療機器１０は、例えば１日に１回または１２時間に１回ごとに詳細データを取得する。また、通常モードでは、植込み型医療機器１０は、無線通信端末２０に対して詳細データを送信しない。緊急モードでは、植込み型医療機器１０は、例えば５秒ごとに詳細データを取得する。また、緊急モードでは、植込み型医療機器１０は、無線通信端末２０に対して詳細データを送信する。
【００２０】
また、植込み型医療機器１０は、取得した詳細データに基づいて、植込み型医療機器１０の動作モードを通常モードから緊急モードに変更するか否かを判定する緊急度判定処理を行う。そして、植込み型医療機器１０は、動作モードを通常モードから緊急モードに変更すると判定した場合、動作モードを緊急モードに変更し、緊急モードに対応した処理を行う。具体的には、植込み型医療機器１０は、１０秒毎に詳細データを取得する。また、植込み型医療機器１０は、無線通信端末２０の無線インターフェースを起動させるための信号であるＲＦ  Ｗａｋｅ  ＵＰ信号を無線通信端末２０に対して送信し、その後、無線通信端末２０に対して詳細データを送信する。
【００２１】
また、植込み型医療機器１０は、無線通信端末２０から、植込み型医療機器１０の動作モードを緊急モードから通常モードに変更する指示である測定モード変更信号を受信した場合、動作モードを緊急モードから通常モードに変更し、通常モードに対応した処理を行う。具体的には、植込み型医療機器１０は、１分ごとに詳細データを取得する。また、植込み型医療機器１０は、無線通信端末２０への詳細データの送信を停止する。また、植込み型医療機器１０は、無線通信端末２０から、無線通信部の動作の停止を指示する信号であるＰｏｗｅｒ  Ｄｏｗｎ信号を受信した場合、無線通信部の動作を停止する。
【００２２】
無線通信端末２０は、植込み型医療機器１０から送信されたＲＦ  Ｗａｋｅ  ＵＰ信号を受信した場合、無線通信インターフェースを起動させ、詳細データを受信する準備を行う。また、無線通信端末２０は、無線通信インターフェースを起動後、植込み型医療機器１０から送信された詳細データを受信し、記憶部に記憶する。また、無線通信端末２０は、植込み型医療機器１０から受信した詳細データを、Ｗｅｂサーバ３０に対して送信する。
【００２３】
また、無線通信端末２０は、Ｗｅｂサーバ３０から、植込み型医療機器１０の動作モードを緊急モードから通常モードに変更するか否かを判定した結果を示す概略判定信号を受信する。そして、無線通信端末２０は、受信した概略判定信号が、植込み型医療機器１０の動作モードを緊急モードから通常モードに変更する判定を示す場合、植込み型医療機器１０に対して、緊急モードから通常モードへの変更を指示する信号であるデータ測定モード変更信号を送信する。また、無線通信端末２０は、受信した概略判定信号が、植込み型医療機器１０の動作モードを緊急モードから通常モードに変更する判定を示す場合、植込み型医療機器１０に対して、植込み型医療機器１０の無線通信部の動作の停止を指示する信号であるＰｏｗｅｒ  Ｄｏｗｎ信号を送信する。
【００２４】
Ｗｅｂサーバ３０は、無線通信端末２０から送信された詳細データと、予め記憶しているＳＤＢ情報データブロックとに基づいて、植込み型医療機器１０の動作モードを緊急モードから通常モードに変更するか否かを判定する詳細判定処理を行う。詳細判定処理については後述する。そして、Ｗｅｂサーバ３０は、判定処理結果を示す判定信号を無線通信端末２０に対して送信する。
【００２５】
なお、請求項に係る無線通信システムは、例えば、無線通信端末２０およびＷｅｂサーバ３０に対応する。
【００２６】
次に、植込み型医療機器１０の構成について説明する。図２は、本実施形態における植込み型医療機器１０の構成を示したブロック図である。図示する例では、植込み型医療機器１０は、センサ部１１と、緊急度判定部１２と、制御部１３と、無線通信部１４と、アンテナ１５と、Ｐｏｗｅｒ  Ｄｏｗｎ検出部１６とを備える。
【００２７】
センサ部１１は、血圧、脈拍、心電、心拍、血中酸素濃度、体温、尿糖、血糖等をセンシングして生体データを取得し、緊急度判定部１２に対して出力する。また、センサ部１１は、植込み型医療機器１０が備える各部の状態をセンシングして機器状態データを取得し、緊急度判定部１２に対して出力する。なお、センサ部１１は、植込み型医療機器１０の動作モードに応じて、センシング間隔が異なる。具体的には、植込み型医療機器１０の動作モードが通常モードである場合、センサ部１１は、１分ごとに詳細データを取得する。また、植込み型医療機器１０の動作モードが緊急モードである場合、１０秒毎に詳細データを取得する。
【００２８】
緊急度判定部１２は、センサ部１１から入力された詳細データに基づいて、イベント（生体データの異常や、機器状態データの異常）が発生した場合、イベントを検出する。また、緊急度判定部１２は、イベントを検出した場合、植込み型医療機器１０の動作モードを、通常モードから緊急モードに切り換えるか否かを判定する。例えば、緊急度判定部１２は、検出したイベントが軽度の異常であれば緊急モードに切り換えないと判定し、検出したイベントが重度の異常であれば緊急モードに切り換えると判定する。また、緊急度判定部１２は、植込み型医療機器１０が緊急モードで動作している場合、センサ部１１から入力された詳細データを、無線通信部１４に対して出力する。
【００２９】
制御部１３は、動作モードに応じた動作を行うように、植込み型医療機器１０が備える各部の制御を行う。具体的には、制御部１３は、緊急度判定部１２が動作モードを緊急モードに切り換えると判定した場合、植込み型医療機器１０の動作モードを緊急モードに切り換え、無線通信部１４を起動させる。その後、制御部１３は、無線通信部１４を制御し、ＲＦ  Ｗａｋｅ  ＵＰ信号を無線通信端末２０に対して送信する。また、制御部１３は、無線通信端末２０から測定モード変更信号を受信した場合、植込み型医療機器１０の動作モードを緊急モードから通常モードに変更する。また、制御部１３は、Ｐｏｗｅｒ  Ｄｏｗｎ検出部１６からＰｏｗｅｒ  Ｄｏｗｎ信号を入力された場合、無線通信部１４の動作を停止させる。
【００３０】
無線通信部１４は、植込み型医療機器１０が緊急モードで動作している場合、アンテナ１５を介して、緊急度判定部１２から入力された詳細データを無線通信端末２０に対して無線送信する。また、無線通信部１４は、アンテナ１５を介して、植込み型医療機器１０の動作モードを緊急モードから通常モードに変更する指示である測定モード変更信号を無線通信端末２０から受信する。Ｐｏｗｅｒ  Ｄｏｗｎ検出部１６は、無線通信端末２０から送信されるＰｏｗｅｒ  Ｄｏｗｎ信号を受信する。また、Ｐｏｗｅｒ  Ｄｏｗｎ検出部１６は、Ｐｏｗｅｒ  Ｄｏｗｎ信号を受信した場合、受信したＰｏｗｅｒ  Ｄｏｗｎ信号を制御部１３に対して出力する。
【００３１】
次に、無線通信端末２０の構成について説明する。図３は、本実施形態における無線通信端末２０の構成を示したブロック図である。図示する例では、無線通信端末２０は、アンテナ２１，２９と、ＲＦ  Ｗａｋｅ  ＵＰ検出部２２（起動信号受信部）と、制御部２３と、無線第１インターフェース２４（無線通信部、無線第１通信部）と、記憶部２５と、表示部２６と、音出力部２７と、無線第２インターフェース２８（第２通信部）とを備える。
【００３２】
ＲＦ  Ｗａｋｅ  ＵＰ検出部２２は、アンテナ２１を介して、植込み型医療機器１０から送信されるＲＦ  Ｗａｋｅ  ＵＰ信号（起動信号）を受信する。また、ＲＦ  Ｗａｋｅ  ＵＰ検出部２２は、ＲＦ  Ｗａｋｅ  ＵＰ信号を受信した場合、受信したＲＦ  Ｗａｋｅ  ＵＰ信号を制御部２３に対して出力する。
【００３３】
制御部２３は、無線通信端末２０が備える各部の制御を行う。また、制御部２３は、ＲＦ  Ｗａｋｅ  ＵＰ検出部２２からＲＦ  Ｗａｋｅ  ＵＰ信号を入力された場合、無線第１インターフェース２４を起動させる。また、制御部２３は、無線第１インターフェース２４から入力された詳細データに基づいて、植込み型医療機器１０が検出したイベントは軽度のイベントであるか重度のイベントであるかを判定する。また、制御部２３は、無線第１インターフェース２４から入力された詳細データを、無線第２インターフェース２８を制御し、Ｗｅｂサーバ３０に対して送信する。また、制御部２３は、Ｗｅｂサーバ３０から送信された詳細判定信号が、植込み型医療機器１０の動作モードを緊急モードから通常モードに変更することを示す場合、無線第１インターフェース２４を制御し、緊急モードから通常モードへの変更を指示する信号であるデータ測定モード変更信号を植込み型医療機器１０に対して送信する。
【００３４】
また、無線通信端末２０は、Ｗｅｂサーバ３０から送信された詳細判定信号が、植込み型医療機器１０の動作モードを緊急モードから通常モードに変更することを示す場合、無線第１インターフェース２４を制御し、植込み型医療機器１０の無線通信部の動作の停止を指示する信号であるＰｏｗｅｒ  Ｄｏｗｎ信号を植込み型医療機器１０に対して送信する。
【００３５】
また、制御部２３は、詳細データに基づいた内容を表示部２６に表示させ、詳細データに基づいた音を音出力部２７に出力させる。例えば、制御部２３は、取得した詳細データが緊急度の高いデータである場合、記憶部２５に予め記録されている表示データ（例えば、助けてほしいことを示す警告情報や、緊急情報や、患者の状態や、患者の容態や、緊急連絡先（自宅の連絡先または病院の連絡先）など）や、詳細データに基づいた心電図などを表示部２６に表示させ、記憶部２５に予め記憶されている音データ（例えば、助けを求める音声信号や警報音など）を周期的に分割して音出力部２７に出力させる。
【００３６】
無線第１インターフェース２４は、制御部２３によって起動されると、アンテナ２１を介して、植込み型医療機器１０から送信された詳細データを受信し、受信した詳細データを制御部２３に対して出力する。また、無線第１インターフェース２４は、制御部２３の制御に従って、データ測定モード変更信号およびＰｏｗｅｒ  Ｄｏｗｎ信号を植込み型医療機器１０に対して送信する。
【００３７】
記憶部２５は、植込み型医療機器１０から送信された詳細データを記憶する。また、記憶部２５は、表示データや音データを記憶する。表示部２６は、液晶ディスプレイ（ＬＣＤ、Ｌｉｑｕｉｄ  Ｃｒｙｓｔａｌ  Ｄｉｓｐｌａｙ）などの表示装置であり、制御部２３の制御に基づいて、詳細データに対応する内容を表示する。音出力部２７は、スピーカーなどであり、制御部２３の制御に基づいて、詳細データに対応する音を出力する。
【００３８】
無線第２インターフェース２８は、制御部２３の制御に従って、植込み型医療機器１０から送信された詳細データを、アンテナ２９を介してＷｅｂサーバ３０に対して送信する。また、無線第２インターフェース２８は、アンテナ２９を介して、Ｗｅｂサーバ３０から送信された詳細判定信号を受信する。また、無線第２インターフェース２８は、受信した詳細判定信号を制御部２３に対して出力する。
【００３９】
次に、Ｗｅｂサーバ３０の構成について説明する。図４は、本実施形態におけるＷｅｂサーバ３０の構成を示したブロック図である。図示する例では、Ｗｅｂサーバ３０は、アンテナ３１と、無線通信部３２（通信部）と、記憶部３３と、制御部３４（比較部、サーバ制御部）とを備える。
【００４０】
無線通信部３２は、アンテナ３１を介して、無線通信端末２０から送信された詳細データを受信する。また、無線通信部３２は、受信した詳細データを制御部３４に対して出力する。また、無線通信部３２は、制御部３４の制御に従って、アンテナ３１を介して、詳細判定信号を無線通信端末２０に対して送信する。
【００４１】
記憶部３３は、ＳＤＢ（サーバデータベース）情報データブロック（比較用バイタルデータ）を記憶する。ＳＤＢ情報データブロックは、例えば、心拍数データまたは血糖値データなどであり、制御部３４が詳細データの異常を検出するために用いる様々なデータである。制御部３４は、記憶部３３が記憶するＳＤＢ情報データブロックと、無線通信端末２０から送信された詳細データとを用いて詳細データの異常を検出し、植込み型医療機器１０の動作モードを緊急モードから通常モードに変更するか否かを判定する詳細判定処理を行う。そして、制御部３４は、無線通信部３２を制御し、詳細判定処理の結果を示す詳細判定信号を無線通信端末２０に対して送信する。なお、記憶部３３が記憶するＳＤＢ情報データブロックのデータ量は膨大であり、制御部３４は、膨大なデータ量のＳＤＢ情報データブロックを用いて植込み型医療機器１０の動作モードを緊急モードから通常モードに変更するか否かを判定するため、制御部３４は、より正確な判定を行うことができる。
【００４２】
次に、概略判定処理と詳細判定処理について説明する。図５は、本実施形態における無線通信端末２０が概略判定処理を行い、Ｗｅｂサーバ３０が詳細判定処理を行う際のデータの流れを示した概略図である。なお、概略判定処理は、植込み型医療機器１０が取得した詳細データのみを用いて、植込み型医療機器１０の動作モードを緊急モードから通常モードに変更するか否かを判定する処理である。また、詳細判定処理は、植込み型医療機器１０が取得した詳細データと、記憶部３３が記憶しているＳＤＢ情報データブロックとを用いて、植込み型医療機器１０の動作モードを緊急モードから通常モードに変更するか否かを判定する処理である。なお、緊急モードから通常モードに変更する条件としては、詳細データに異常なデータが含まれない場合（異常を検出しない場合）である。従って、詳細データの異常を検出した場合には緊急モードから通常モードに変更しないと判定し、詳細データの異常を検出しない場合には緊急モードから通常モードに変更すると判定する。
【００４３】
以下、詳細データが心筋活動電位である場合を例として、無線通信端末２０の制御部２３が、概略判定処理の実行時に詳細データを解析し、異常を検出する方法について説明する。図示するように、植込み型医療機器１０のセンサ部１１は、アナログ信号として取得した心筋活動電位をＡＤ変換し、デジタル信号の心筋活動電位を所定の時間分纏めた生体情報データブロックを生成する。そして、植込み型医療機器１０の無線通信部１４は、生体情報データブロックを無線通信端末２０に対して送信する。無線通信端末２０の無線第１インターフェース２４は、植込み型医療機器１０から送信された生体情報データブロックを受信し、制御部２３に対して出力する。また、制御部２３は、無線第１インターフェース２４から入力された生体データブロックに基づいて、異常の検出を行う。
【００４４】
異常の検出方法としては、例えば特開２００９−２４７８１２号公報に示されているように、異常な心筋活動電位が発生したときに迅速な対応が可能なように、時間軸に関して隣り合う心筋活動電位の波形のズレが所定の範囲を超えて２サイクル以上連続して発生すると、異常を検出するという方法がある。なお、この方法は、入力された心筋活動電位を１サイクル毎に同一の基点に合わせるサイクル基点同一化アルゴリズムと、時間軸に関して連続する少なくとも２サイクル以上の心筋活動電位の波形を同時に重なり表示する重なり表示アルゴリズムを含んでいるので、波形の変化の把握が容易である。また、心筋活動電位の波長が所定の範囲を超えて変わった場合に、変化した後の心筋活動電位の波長が変化する前の心筋活動電位の波長と同じ波長になるように調整する、波長調整アルゴリズムを含んでいるので、波長の変化による心筋活動電位の波形のズレを異常な波形と見誤ることが無くなる。
【００４５】
また、無線通信端末２０の制御部２３は、概略判定処理を行った際に、時間軸に関して隣り合う心筋活動電位の波形のズレが所定の範囲を超えて２サイクル以上連続して発生したときに警報を発するように音出力部２７を制御することにより、体動などによるアーキテクト（通常２サイクル以上連続して同じような波形が発生することがない）の発生による誤警報を無くし、異常な波形が発生したときにのみ警報を発することができる。また、このように警報を発した場合、ユーザーは心筋活動電位の異常に対して迅速に対応することが可能であり、その異常がどの様な心血管機能の異常に起因するものかを素早く判断することができる。
【００４６】
また、無線通信端末２０の制御部２３は、無線第２インターフェース２８を制御し、植込み型医療機器１０から送信された生体情報データブロックを、アンテナ２９を介してＷｅｂサーバ３０に対して送信する。
【００４７】
Ｗｅｂサーバ３０の制御部３４は、記憶部３３が記憶するＳＤＢ情報データブロックと、無線通信端末２０から送信された生体情報データブロックとを比較して生体情報データブロックの異常を検出し、植込み型医療機器１０の動作モードを緊急モードから通常モードに変更するか否かを判定する詳細判定処理を行う。そして、制御部３４は、無線通信部３２を制御し、判定処理結果を示す詳細判定信号を無線通信端末２０に対して送信する。
【００４８】
なお、Ｗｅｂサーバ３０の制御部３４が、詳細判定処理の実行時に詳細データを解析し、異常を検出する方法としては、例えば特開２００８−１１９４７９号公報に示されている方法がある。具体的には、頻拍性不整脈現象を判別するために、心房および心室活動を監視し、監視された活動における頻拍性不整脈現象を確認し、あらかじめ設定された条件に従って、疑われる頻拍性不整脈現象を心室頻拍性不整脈と上心室頻拍性不整脈との間で判別するよう識別アルゴリズムを作動させ、心室頻拍性不整脈が存在する際に衝撃治療細動除去や除細動および心室反頻拍性不整脈ペーシング刺激の開始を心臓の所定時間の波形データから、詳細データの異常の判断を行う。
【００４９】
次に、本実施形態における植込み型医療機器１０と、無線通信端末２０と、Ｗｅｂサーバ３０との動作手順について説明する。図６は、本実施形態における植込み型医療機器１０と、無線通信端末２０と、Ｗｅｂサーバ３０との動作手順を示したシーケンス図である。
【００５０】
（ステップＳ１０１）植込み型医療機器１０のセンサ部１１は、詳細データ取得し、取得した詳細データを緊急度判定部１２に対して出力する。緊急度判定部１２は、センサ部１１から入力された詳細データに基づいてイベントを検出する。
（ステップＳ１０２）緊急度判定部１２は、イベントを検出した場合、植込み型医療機器１０の動作モードを、通常モードから緊急モードに切り換えるか否かを判定する。そして、緊急度判定部１２が、動作モードを緊急モードに切り換えると判定した場合、制御部１３は、植込み型医療機器１０の動作モードを緊急モードに切り換え、無線通信部１４を起動させる。その後、制御部１３は、無線通信部１４を制御し、ＲＦ  Ｗａｋｅ  ＵＰ信号を無線通信端末２０に対して送信する。
【００５１】
（ステップＳ１０３）無線通信端末２０のＲＦ  Ｗａｋｅ  ＵＰ検出部２２は、植込み型医療機器１０から送信されたＷａｋｅ  ＵＰ信号を、アンテナ２１を介して受信し、受信したＲＦ  Ｗａｋｅ  ＵＰ信号を制御部２３に対して出力する。制御部２３は、ＲＦ  Ｗａｋｅ  ＵＰ検出部２２からＲＦ  Ｗａｋｅ  ＵＰ信号を入力された場合、無線第１インターフェース２４を起動させる。
（ステップＳ１０４）無線通信端末２０の制御部２３は、無線第１インターフェース２４を制御し、植込み型医療機器１０に対してセンシング詳細データ要求信号を送信する。
【００５２】
（ステップＳ１０５）植込み型医療機器１０の無線通信部１４は、無線通信端末２０から送信されたセンシング詳細データ要求信号を受信する。
（ステップＳ１０６）植込み型医療機器１０の制御部１３は、無線通信部１４がセンシング詳細データ要求信号を受信した場合、無線通信部１４を制御し、無線通信端末２０に対してセンサ部１１が検出した詳細データを送信する。
【００５３】
（ステップＳ１０７）無線通信端末２０の無線第１インターフェース２４は、植込み型医療機器１０から送信された詳細データを受信する。また、無線通信端末２０の制御部２３は、無線第１インターフェース２４が受信した詳細データに基づいて概略判定を行い、植込み型医療機器１０の動作モードを緊急モードから通常モードに変更するか否かを判定する。また、無線通信端末２０の制御部２３は、概略判定の判定結果を表示部２６に表示させる。
（ステップＳ１０８）無線通信端末２０の制御部２３は、無線第２インターフェース２８を制御し、植込み型医療機器１０から受信した詳細データをＷｅｂサーバ３０に対して送信する。
【００５４】
（ステップＳ１０９）Ｗｅｂサーバ３０の無線通信部３２は、無線通信端末２０から送信された詳細データを受信する。また、Ｗｅｂサーバ３０の制御部３４は、無線通信部３２が受信した詳細データと、記憶部３３が記憶するＳＤＢ情報データブロックとを用いて詳細データの異常を検出し、植込み型医療機器１０の動作モードを緊急モードから通常モードに変更するか否かを判定する詳細判定処理を行う。
（ステップＳ１１０）Ｗｅｂサーバ３０の制御部３４は、無線通信部３２を制御し、詳細判定処理の結果を示す詳細判定信号を無線通信端末２０に対して送信する。
【００５５】
（ステップＳ１１１）無線通信端末２０の無線第２インターフェース２８は、Ｗｅｂサーバ３０から送信された詳細判定信号を受信する。また、無線通信端末２０の制御部２３は、詳細判定信号に基づいて、植込み型医療機器１０の動作モードを緊急モードから通常モードに変更するか否かを判定する。また、無線通信端末２０の制御部２３は、詳細判定信号が示す判定結果を表示部２６に表示させる。
（ステップＳ１１２）無線通信端末２０の制御部２３は、無線第１インターフェース２４を制御し、植込み型医療機器１０に対してデータ測定モード確認要求メッセージを送信する。
【００５６】
（ステップＳ１１３）植込み型医療機器１０の無線通信部１４は、無線通信端末２０から送信されたデータ測定モード確認要求メッセージを受信する。
（ステップＳ１１４）植込み型医療機器１０の制御部１３は、無線通信部１４を制御し、無線通信端末２０に対して現在の動作モードを示すデータ測定モード信号を送信する。
【００５７】
（ステップＳ１１５）無線通信端末２０の無線第１インターフェース２４は、植込み型医療機器１０から送信されたデータ測定モード信号を受信する。
（ステップＳ１１６）無線通信端末２０の制御部２３は、ステップＳ１１５で受信したデータ測定モード信号で特定される動作モードが緊急モードであり、ステップＳ１１１の処理で受信した詳細判定信号が、植込み型医療機器１０の動作モードを緊急モードから通常モードに変更することを示している場合、植込み型医療機器１０の動作モードを緊急モードから通常モードへの変更を指示する信号であるデータ測定モード変更信号を、植込み型医療機器１０に対して送信する。
【００５８】
（ステップＳ１１７）植込み型医療機器１０の無線通信部１４は、無線通信端末２０から送信されたデータ測定モード変更信号を受信する。
（ステップＳ１１８）植込み型医療機器１０の制御部１３は、無線通信部１４がデータ測定モード変更信号を受信した場合、動作モードを緊急モードから通常モードに変更し、通常モードに対応した処理を行う。また、制御部１３は、無線通信部１４を制御し、動作モードを通常モードに変更したことを示す信号である測定モード変更確認信号を、無線通信端末２０に対して送信する。
【００５９】
（ステップＳ１１９）無線通信端末２０の無線第１インターフェース２４は、植込み型医療機器１０から送信された測定モード変更確認信号を受信する。
（ステップＳ１２０）無線通信端末２０の制御部２３は、植込み型医療機器１０の動作モードは通常モードに変更されたため、無線第１インターフェース２４を制御し、植込み型医療機器１０に対してＰｏｗｅｒ  Ｄｏｗｎ信号を送信する。
【００６０】
（ステップＳ１２１）植込み型医療機器１０のＰｏｗｅｒ  Ｄｏｗｎ検出部１６は、無線通信端末２０から送信されたＰｏｗｅｒ  Ｄｏｗｎ信号を受信し、受信したＰｏｗｅｒ  Ｄｏｗｎ信号を制御部１３に対して出力する。植込み型医療機器１０の制御部１３は、Ｐｏｗｅｒ  Ｄｏｗｎ信号を入力された場合、無線通信部１４の動作を停止させる。
【００６１】
次に、植込み型医療機器１０の動作手順について説明する。図７は、本実施形態における植込み型医療機器１０の動作手順を示したフローチャートである。
【００６２】
（ステップＳ２０１）センサ部１１は、詳細データを取得し、取得した詳細データを緊急度判定部１２に対して出力する。緊急度判定部１２は、センサ部１１から入力された詳細データに基づいてイベントを検出する。また、緊急度判定部１２は、イベントを検出した場合、植込み型医療機器１０の動作モードを、通常モードから緊急モードに切り換えるか否かを判定する。そして、緊急度判定部１２が、動作モードを緊急モードに切り換えると判定した場合、制御部１３は、植込み型医療機器１０の動作モードを緊急モードに切り換え、無線通信部１４を起動させる。その後、ステップＳ２０２の処理に進む。
（ステップＳ２０２）制御部１３は、無線通信部１４を制御し、ＲＦ  Ｗａｋｅ  ＵＰ信号を無線通信端末２０に対して送信する。その後、ステップＳ２０３の処理に進む。
【００６３】
（ステップＳ２０３）制御部１３は、無線通信部１４がセンシング詳細データ要求信号を受信した場合、無線通信部１４を制御し、無線通信端末２０に対してセンサ部１１が検出した詳細データを送信する。その後、ステップＳ２０４の処理に進む。
（ステップＳ２０４）制御部１３は、無線通信部１４がデータ測定モード確認要求メッセージを受信した場合、無線通信部１４を制御し、無線通信端末２０に対して現在のデータ測定モード状態を示すデータ測定モード信号を送信する。その後、ステップＳ２０５の処理に進む。
【００６４】
（ステップＳ２０５）制御部１３は、無線通信部１４がデータ測定モード変更信号を受信した場合、動作モードを緊急モードから通常モードに変更し、通常モードに対応した処理を行う。また、制御部１３は、無線通信部１４を制御し、動作モードを通常モードに変更したことを示す信号である測定モード変更確認信号を、無線通信端末２０に対して送信する。その後、ステップＳ２０６の処理に進む。
（ステップＳ２０６）制御部１３は、Ｐｏｗｅｒ  Ｄｏｗｎ検出部１６がＰｏｗｅｒ  Ｄｏｗｎ信号を受信した場合、無線通信部１４の動作を停止させる。その後、処理を終了する。
【００６５】
次に、無線通信端末２０の動作手順について説明する。図８は、本実施形態における無線通信端末２０の動作手順を示したフローチャートである。
【００６６】
（ステップＳ３０１）制御部２３は、ＲＦ  Ｗａｋｅ  ＵＰ検出部２２がＲＦ  Ｗａｋｅ  ＵＰ信号を受信した場合、無線第１インターフェース２４を起動させる。その後、ステップＳ３０２の処理に進む。
（ステップＳ３０２）制御部２３は、無線第１インターフェース２４を制御し、植込み型医療機器１０に対してセンシング詳細データ要求信号を送信する。その後、ステップＳ３０３の処理に進む。
【００６７】
（ステップＳ３０３）制御部２３は、無線第１インターフェース２４が詳細データを受信した場合、詳細データに基づいて概略判定を行い、植込み型医療機器１０の動作モードを緊急モードから通常モードに変更するか否かを判定する。また、制御部２３は、概略判定の判定結果を表示部２６に表示させる。その後、ステップＳ３０４の処理に進む。
（ステップＳ３０４）制御部２３は、無線第２インターフェース２８を制御し、植込み型医療機器１０から受信した詳細データをＷｅｂサーバ３０に対して送信する。その後、ステップＳ３０５の処理に進む。
【００６８】
（ステップＳ３０５）制御部２３は、無線第２インターフェース２８が詳細判定信号を受信した場合、受信した詳細判定信号は、植込み型医療機器１０の動作モードを緊急モードから通常モードに変更することを示しているか否かを判定する。また、制御部２３は、詳細判定信号が示す判定結果を表示部２６に表示させる。その後、ステップＳ３０６の処理に進む。
（ステップＳ３０６）制御部２３は、無線第１インターフェース２４を制御し、植込み型医療機器１０に対してデータ測定モード確認要求メッセージを送信する。その後、ステップＳ３０７の処理に進む。
【００６９】
（ステップＳ３０７）制御部２３は、無線第１インターフェース２４がデータ測定モード信号を受信した場合、受信したデータ測定モード信号で特定される動作モードが緊急モードであり、ステップＳ３０５の処理で受信した詳細判定信号が、植込み型医療機器１０の動作モードを緊急モードから通常モードに変更することを示している場合、植込み型医療機器１０の動作モードを緊急モードから通常モードへの変更を指示する信号であるデータ測定モード変更信号を、植込み型医療機器１０に対して送信する。その後、ステップＳ３０８の処理に進む。
【００７０】
（ステップＳ３０８）制御部２３は、無線第１インターフェース２４が測定モード変更確認信号を受信した場合、無線第１インターフェース２４を制御し、植込み型医療機器１０に対してＰｏｗｅｒ  Ｄｏｗｎ信号を送信する。その後、処理を終了する。
【００７１】
次に、Ｗｅｂサーバ３０の動作手順について説明する。図９は、本実施形態におけるＷｅｂサーバ３０の動作手順を示したフローチャートである。
（ステップＳ４０１）制御部３４は、無線通信部３２が詳細データを受信した場合、受信した詳細データと、記憶部３３が記憶するＳＤＢ情報データブロックとを用いて詳細データの異常を検出し、植込み型医療機器１０の動作モードを緊急モードから通常モードに変更するか否かを判定する詳細判定処理を行う。その後、ステップＳ４０２の処理に進む。
【００７２】
（ステップＳ４０２）制御部３４は、無線通信部３２を制御し、ステップＳ４０１の処理で判定した結果を示す詳細判定信号を無線通信端末２０に対して送信する。その後、処理を終了する。
【００７３】
上述したとおり、本実施形態によれば、Ｗｅｂサーバ３０は、植込み型医療機器１０が取得した詳細データの異常を検出するために用いるＳＤＢ情報データブロックを記憶している。そして、Ｗｅｂサーバ３０は、記憶しているＳＤＢ情報データブロックと、無線通信端末２０から送信された詳細データとを用いて詳細データの異常を検出し、植込み型医療機器１０の動作モードを緊急モードから通常モードに変更するか否かを判定する詳細判定処理を行う。従って、Ｗｅｂサーバ３０は、より正確に、植込み型医療機器１０が取得した詳細データの異常を検出することができる。
【００７４】
また、本実施形態によれば、植込み型医療機器１０は、データの取得間隔が長い通常モードと、データの取得間隔が短い緊急モードとの２つのモードとのいずれかのモードで動作する。通常モードから緊急モードへの切り替えの判定は、植込み型医療機器１０が行う。これにより、例えば、植込み型医療機器１０が緊急度の高いイベントを検出した場合、植込み型医療機器１０が通常モードから緊急モードへの切り替えの判定を行うため、無線通信端末２０やＷｅｂサーバ３０が通常モードから緊急モードへの切り替えの判定を行う場合と比較し、より迅速に緊急モードに切り換えることができる。
【００７５】
また、本実施形態によれば、植込み型医療機器１０の動作モードを緊急モードから通常モードへ切り換える判定は、無線通信端末２０またはＷｅｂサーバ３０が行う。これにより、植込み型医療機器１０は、緊急モードから通常モードへの切り替えの判定を行う必要が無いため、植込み型医療機器１０が備える電池の消耗をより低減することができる。さらに、Ｗｅｂサーバ３０は、詳細データの異常をより正確に検出することができるため、植込み型医療機器１０の動作モードを緊急モードから通常モードに変更するか否かの判定も、より正確に行うことができる。
【００７６】
また、本実施形態によれば、無線通信端末２０は、植込み型医療機器１０の動作モードを緊急モードから通常モードに切り換える場合、植込み型医療機器１０に対してＰｏｗｅｒ  Ｄｏｗｎ信号を送信する。また、植込み型医療機器１０は、Ｐｏｗｅｒ  Ｄｏｗｎ信号を受信した場合、無線通信部１４の動作を停止させる。これにより、植込み型医療機器１０は、詳細データを無線通信端末２０に対して送信しない場合には、無線通信部１４を停止させることができるため、植込み型医療機器１０が備える電池の消耗をさらに低減させることができる。
【００７７】
以上、この発明の一実施形態について図面を参照して詳述してきたが、具体的な構成はこの実施形態に限られるものではなく、この発明の要旨を逸脱しない範囲の設計等も含まれる。例えば、上述した実施形態では植込み型医療機器１０と無線端末装置２０とは１対１との関係で無線通信を行っているがこれに限らない。例えば、植込み型医療機器１０と無線端末装置２０とは、多対多の関係で無線通信を行うようにしてもよい。また、無線通信端末２０とＷｅｂサーバ３０とは１対１との関係で無線通信を行っているがこれに限らない。例えば、無線通信端末２０とＷｅｂサーバ３０とは、多対多の関係で無線通信を行うようにしてもよい。また、無線通信端末２０とＷｅｂサーバ３０との間の通信は、有線を用いた通信としてもよい。
【００７８】
また、上述した実施形態では、Ｗｅｂサーバ３０が、植込み型医療機器１０が取得した詳細データと記憶部３３が記憶するＳＤＢ情報データブロックとを用いて詳細データの異常を検出し、植込み型医療機器１０の動作モードを緊急モードから通常モードに変更するか否かを判定する詳細判定処理を行っているが、これに限らない。例えば、無線通信端末２０が、Ｗｅｂサーバ３０からＳＤＢ情報データブロックを受信し、植込み型医療機器１０が取得した詳細データとＷｅｂサーバ３０から受信したＳＤＢ情報データブロックとを用いて詳細データの異常を検出し、植込み型医療機器１０の動作モードを緊急モードから通常モードに変更するか否かを判定する詳細判定処理を行うようにしてもよい。
【符号の説明】
【００７９】
１・・・生体データ監視システム、１０・・・植込み型医療機器、１１・・・センサ部、１２・・・緊急度判定部、１３，２３，３４・・・制御部、１４，３２・・・無線通信部、１５，２１，２９，３１・・・アンテナ、１６・・・Ｐｏｗｅｒ  Ｄｏｗｎ検出部、２０・・・無線通信端末、２２・・・ＲＦ  Ｗａｋｅ  ＵＰ検出部、２４・・・無線第１インターフェース、２５，３３・・・記憶部、２６・・・表示部、２７・・・音出力部、２８・・・無線第２インターフェース、３０・・・Ｗｅｂサーバ
【図１】
2012254121.tif 000003
【図２】
2012254121.tif 000004
【図３】
2012254121.tif 000005
【図４】
2012254121.tif 000006
【図５】
2012254121.tif 000007
【図６】
2012254121.tif 000008
【図７】
2012254121.tif 000009
【図８】
2012254121.tif 000010
【図９】
2012254121.tif 000011